(57)【要約】  【課題】  誘電方式で充電手段に充電できるワイヤレスマウスの充電方法を提供する。  【解決手段】  充電スタンドとマウス本体によってワイヤレスマウスを構成し、該充電スタンドに変圧器とコイルとを設け、該マウス本体にコイルと充電手段を有する電源供給回路と周波数エミット回路を設け、該充電座のコイルと該マウス本体のコイルとが互いに誘導して発生する誘導電流を整流し、かつ濾波して該マウス本体の充電手段に供給する。【選択図】図４
2004222491.tif 000002
【特許請求の範囲】
【請求項１】
変圧器とコイルとを含んでなる充電スタンドと、電源供給回路と周波数エミット回路を含んでなるマウス本体とを具えるワイヤレスマウスの充電方法であって、
該マウス本体の電源供給回路にコイルと充電手段を設け、該充電スタンドのコイルと該マウス本体のコイルとが互いに誘導して発生する誘導電流を整流し、濾波して該マウス本体の充電手段に供給することを特徴とするワイヤレスマウスの充電方法。
【請求項２】
前記充電手段が二次電池であることを特徴とする請求項１に記載のワイヤレスマウスの充電方法。
【発明の詳細な説明】
【技術分野】
【０００１】
この発明はワイヤレスマウスの充電方法に関し、特に充電スタンドとマウス本体とによってなり、該充電スタンドとマウス本体のそれぞれに設けたコイル同士の誘導によって誘電電流を発生させてワイヤレスマウスの充電に供するワイヤレスマウスの充電方法に関する。
【背景技術】
【０００２】
一般のワイヤレスマウスの充電方法は、導電式充電であって、金属と金属とが接触する方式で電力を伝送する。例えば、充電スタンドのベース側には弾性を有する金属コンタクトを設け、マウス本体には金属製のホール部を形成する。該弾性を有する金属コンタクトと、金属製のホール部とが接触することによって充電を達成する。係る金属材の接触による充電方式は、金属材がある程度の時間を経過すると、酸化現象が発生し、インピーダンスが高くなる。このため、充電が順調に行われなくなり、甚だしくは充電ができなくなる。また、金属コンタクトは、ある程度の時間を経過すると材質が疲労し、弾性が失われる。このため、金属製のホール部と金属コンタクトとが接触できなくなり、充電ができなくなる。
【０００３】
また、ワイヤレスマウスの他の形態には、マウス本体に電源の接点が設けられ、マウス本体の電量が不足した場合、電源コードを接続して充電できるように構成したものがある。但し、係る電源コードを接続する方式のワイヤレスマウスは、従来のケーブル付きのマウスと何ら変わりはない。即ち、ワイヤレスマウスを移動させる場合、同様に電源コードの影響を受け、ワイヤレスマウスとして使用する意味を失う。しかも電源線がマウスの移動に伴い、表面の絶縁層が磨耗し、内部の電線が内部に露出して漏電する危険性がある。よって、実用的でない。
【０００４】
台湾実用新案・出願第８６２００１３５号は、誘導式ワイヤレスマウスを提供するものであって、公報の記載によれば、本体に電源のパイロットランプと、発振回路と、ＬＣチューナ回路と、アンプフィルタ回路と、及びコイルを具えてなる。マウスの部分は、コイルと、電源供給回路と、クリックボタンと、シャッター構造と、エンコード発振回路と、モジュラー出力構造とを具えてなり、誘導方式で電圧を供給し、信号を伝送することを特徴とし、マウス自体には伝送線を必要とせず、また電池を必要としない。本体の部分は、マウスパッドとすることができる。但し、係る蓄電機能を具えないワイヤレスマウスは、マウスパッドからマウスが離れると、センサ方式で電圧と信号を伝送することができなくなる。即ち、使用できる範囲がマウスパッド上に限定される。また、マウスパッドは電線でコンピュータ本体と接続しなければならない。よって、マウスパッドの使用範囲は電線に制限され、従来のコード付きマウスと同様に異なる環境下において任意に使用することができない。このため、マウスの使用に際して不便であり、多様化する社会のそれぞれのニーズに適合させることが難しい。
【特許文献１】台湾実用新案第８６２００１３５号公報
【発明の開示】
【発明が解決しようとする課題】
【０００５】
この発明は、誘電方式で充電手段に充電できるワイヤレスマウスの充電方法を提供することを課題とする。
【課題を解決するための手段】
【０００６】
そこで、本発明者は従来の技術に見られる欠点に鑑み鋭意研究を重ねた結果、充電スタンドとマウス本体によってワイヤレスマウスを構成し、該充電スタンドに変圧器とコイルとを設け、該マウス本体にコイルと充電手段を有する電源供給回路と周波数エミット回路を設け、該充電スタンドのコイルと該マウス本体のコイルとが互いに誘導して発生する誘導電流を整流し、かつ濾波して該マウス本体の充電手段に供給するワイヤレスマウスの充電方法によって課題を解決できる点に着眼し、かかる知見に基づいて本発明を完成させた。
【０００７】
以下、この発明について具体的に説明する。
請求項１に記載するワイヤレスマウスの充電方法は、変圧器とコイルとを含んでなる充電スタンドと、電源供給回路と周波数エミット回路を含んでなるマウス本体とを具えるワイヤレスマウスの充電方法であって、
該マウス本体の電源供給回路にコイルと充電手段を設け、該充電スタンドのコイルと該マウス本体のコイルとが互いに誘導して発生する誘導電流を整流し、濾波して該マウス本体の充電手段に供給することを特徴とする。
【０００８】
請求項２に記載するワイヤレスマウスの充電方法は、請求項１における充電手段が二次電池であることを特徴とする。
【発明の効果】
【０００９】
本発明のワイヤレスマウスの充電方法は、コードの制限を受けることなく充電でき、ワイヤレスマウスが信号を伝送できる状態を保持するとともに、ワイヤレスマウスの使用上の最も好ましい状態を随時保持できるという利点がある。
【発明を実施するための最良の形態】
【００１０】
この発明は、ワイヤレスマウスの充電方法を提供するものであって、充電スタンドとマウス本体によってワイヤレスマウスを構成し、該充電スタンドに変圧器とコイルとを設け、該マウス本体にコイルと充電手段を有する電源供給回路と周波数エミット回路を設け、該充電スタンドのコイルと該マウス本体のコイルとが互いに誘導して発生する誘導電流を整流し、かつ濾波して該マウス本体の充電手段に供給するワイヤレスマウスの充電方法によって、コードの制限を受けることなく充電できるという目的を、実現した。
かかる構成のワイヤレスマウスの充電方法について、その特徴を詳述するために具体的な実施例を挙げ、以下に説明する。
【実施例１】
【００１１】
この発明によるワイヤレスマウスを図１から３に開示する。図面によれば、マウス本体（１）は、外部に露出し、かつ充電スタンド（２）と接触する金属接点を設けない。マウス本体（１）の電力が不足するか、もしくはマウス本体（１）を使用しない場合は、充電スタンド（２）上に設けられた凹状の収納溝（２１）内に収納し、充電スタンド（２）によってマウス本体（１）の二次電池（１３）に充電を行う。この場合磁気誘電による充電方式を行うため、充電スタンド（２）とマウス本体（１）とが金属接点を介した充電を行う必要はない。よって、充電が便利であるのみならず、かかる磁気誘電による充電は電圧が低いため、発生する電磁波がその他コンピュータ装置の正常な作動に干渉することがない。
【００１２】
また、磁気誘電による充電方式は、電力伝送の時間が長くなるか、もしくは回数が多くなることによってインピーダンスが高くなり、電力の伝送能力を低下させることがない。たとえ充電状態を長時間維持したとしても、充電の疲労が発生することもなく、マウス本体（１）の好ましい状態を随時保持することができる。このため、マウス本体（１）を使用するにあたり、従来のコード付きマウスのように自在に使用することができ、且つコードによる動作の制限を受けることがない。また、磁気誘電による充電を応用することは、システムの複雑性を低減させることができ、且つユニットの電流に対するニーズを低下させ、二次電池（１３）の連続使用時間を延長させるとともに、マウス本体（１）のパワーの消耗を減少させることができる。即ち、コストを効率良く節減することができるといえる。  
【００１３】
図４に開示するように、電源をＯＮにすると、充電スタンド（２）には。即交流の電流（ＡＣ）が入力される。トランス（２２）によって電圧を低下させた後、ダイオード（２６）の濾波によって直流電流（ＤＣ）に変換し、直流電流（ＤＣ）が発振回路（２３）を通貨して交流電流（ＡＣ）に変換され、さらに伝送回路（２４）を経て、コイル（２５）からエネルギーを発送する。
【００１４】
マウス本体（１）の電源供給回路（１２）は、コイル（１１）と、二次電池（１３）とを具えてなり、電源供給回路（１２）に設けられたコイル（１１）と、充電スタンド（２）のコイル（２５）とに磁気誘電が発生すると、電源供給回路（１２）は誘導電流を濾波し、整流した後二次電池（１３）に伝送し、マウス本体（１）の必要とする電圧を提供する。
【００１５】
かかる磁気誘電による充電方式は、金属同士の接触を介することなく、効率よく電流を伝送することができる。また、電流の喪失を減少させて充電速度を高めるとともに、充電時間を短縮することができる。マウス本体（１）のクリックボタンを押すか、もしくはマウス本体（１）を移動させる場合、二次電池（１３）が無線周波数エミット回路（１４）に電流を提供し、エンコード信号の発射を行う。
【００１６】
以上はこの発明の好ましい実施例であって、この発明の実施の範囲を限定するものではない。よって、当業者のなし得る修正、もしくは変更であって、この発明の精神の下においてなされ、この発明に対して均等の効果を有するものは、いずれも本発明の実用新案登録請求の範囲に属するものとする。
【図面の簡単な説明】
【００１７】
【図１】この発明によるワイヤレスマウスの外観を示した斜視図である。
【図２】図１に開示するワイヤレスマウスの正面図である。
【図３】図１に開示するワイヤレスマウスの平面図である。
【図４】この発明によるワイヤレスマウス回路を示したブロック図である。
【符号の説明】
【００１８】
１    マウス本体
１１  コイル
１２  電源供給回路
１３  二次電池
１４  無線周波数エミット回路
２    充電スタンド
２１  収納溝
２２  トランス
２３  発振回路
２４  伝送回路
２５  コイル
２６  ダイオード
【図１】
2004222491.tif 000003
【図２】
2004222491.tif 000004
【図３】
2004222491.tif 000005
【図４】
2004222491.tif 000006